(57)【要約】【課題】配線作業が容易で見た目のすっきりとした配線状態となるスピーカーシステムを提供する。【解決手段】センタースピーカー２に、フロントスピーカー用オーディオ信号入力部１１ｂと、フロント左スピーカー用オーディオ信号出力部１２ａと、フロント右スピーカー用オーディオ信号出力部１３ａとを設け、セット本体１からセンタースピーカー２とフロント左スピーカー３とフロント右スピーカー４へのオーディオ信号を、一本のフロントオーディオ信号伝送ケーブル１１を用いてフロントスピーカー用オーディオ信号入力部１１ｂに入力し、フロント左スピーカー３をフロント左スピーカー用オーディオ信号出力部１２ａを介して接続し、フロント右スピーカー４をフロント右スピーカー用オーディオ信号出力部１３ａを介して接続する構成のスピーカーシステムとした。【選択図】図１
2011119889.tif 000002
【特許請求の範囲】
【請求項１】
オーディオ信号を出力するセット本体と、該セット本体から出力されるオーディオ信号を入力して音声出力するスピーカーとして、視聴者の前方に設置するセンタースピーカーと前方の左右に離して設置するフロント左スピーカーとフロント右スピーカーとを有するフロントスピーカーに加えて、視聴者の後方の左右に離して設置するリア左スピーカー、リア右スピーカー、および、効果音としての低温成分を再現するサブウーファーを備えるスピーカーシステムにおいて、
前記センタースピーカーに、フロントスピーカー用オーディオ信号入力部と、フロント左スピーカー用オーディオ信号出力部と、フロント右スピーカー用オーディオ信号出力部とを設け、
前記セット本体から、前記センタースピーカーと前記フロント左スピーカーと前記フロント右スピーカーへのオーディオ信号を、一本のフロントオーディオ信号伝送ケーブルを用いて前記フロントスピーカー用オーディオ信号入力部に入力し、前記フロント左スピーカーを前記フロント左スピーカー用オーディオ信号出力部を介して接続し、前記フロント右スピーカーを前記フロント右スピーカー用オーディオ信号出力部を介して接続したことを特徴とするスピーカーシステム。
【請求項２】
前記リア左スピーカーと前記リア右スピーカーのいずれか一方に、リアスピーカー用オーディオ信号入力部と、他方のリアスピーカー用のオーディオ信号出力部とを設け、前記セット本体から両方のリアスピーカーへのオーディオ信号を、一本のリアオーディオ信号伝送ケーブルを用いて前記リアスピーカー用オーディオ信号入力部に入力し、他方のリアスピーカーを前記オーディオ信号出力部を介して接続したことを特徴とする請求項１に記載のスピーカーシステム。
【請求項３】
前記オーディオ信号伝送ケーブルをフラットケーブルとしたことを特徴とする請求項１または２に記載のスピーカーシステム。
【請求項４】
前記フラットケーブルの底面部に、滑り止め機能を発揮する空気溝を設けたことを特徴とする請求項３に記載のスピーカーシステム。
【請求項５】
前記フロント左スピーカー用オーディオ信号出力部を前記センタースピーカーの前記フロント左スピーカーに対向する側面部に設け、前記フロント右スピーカー用オーディオ信号出力部を前記センタースピーカーの前記フロント右スピーカーに対向する側面部に設けたことを特徴とする請求項１から４のいずれかに記載のスピーカーシステム。
【発明の詳細な説明】
【技術分野】
【０００１】
本発明は、スピーカーシステムに関し、特に、センタースピーカーと左右のフロントスピーカーなどの複数のスピーカーを備えるスピーカーシステムに関する。
【背景技術】
【０００２】
最近は、液晶テレビやプラズマテレビなどの大型で薄型の画像表示装置が急速に普及してきている。そのために、これらの大型の画像表示装置を用いた家庭内のホームシアターシステムの需要が高まってきている。
【０００３】
また、これらの大型の画像表示装置に内蔵されたスピーカーだけでは、その音質が大画面の映像に比べて不十分であり、十分な音響効果を得て臨場感を得るために、サラウンド方式のスピーカーシステムを用いることが行われている。
【０００４】
最近のＤＶＤソフトなどは、ドルビーデジタル５．１ｃｈなどの５．１ｃｈのマルチチャンネルに対応したものが多く、ＤＶＤプレーヤ等と５．１ｃｈのスピーカーシステムを組み合わせて、臨場感に溢れた音響効果を発揮するホームシアターシステムを構築することができる。
【０００５】
５．１ｃｈのスピーカーシステムは、視聴者の前方に配置するセンタースピーカーと、前方の左右に離して設置するフロント左スピーカー、フロント右スピーカー、視聴者の後方の左右に離して設置するリア左スピーカー、リア右スピーカー、の５つのスピーカーに加えて、効果音としての低温成分を再現するサブウーファーを備えた構成とされている。
【０００６】
そのために、オーディオ信号を出力するＤＶＤプレーヤやデジタルオーディオ機器などのセット本体から各スピーカーにケーブルを配線する必要があり、５．１ｃｈのスピーカーシステムでは、５つのスピーカーとサブウーファーとの合計６組のケーブルを配線している。
【０００７】
これらの６組の配線接続作業を行う際には、セット本体に設けられているそれぞれのスピーカーに対応した出力端子部とそれぞれのスピーカーの入力端子部とを正確に接続させる必要があるので少々面倒である。
【０００８】
そのために、より簡便な配線接続が可能であることが好ましく、投射機とスクリーン装置を備えるホームシアター装置において、中継端子盤を介して、縦長スピーカーとリアスピーカーと投射器への配線を接続するとしたシアター装置（例えば、特許文献１参照）が既に出願されている。
【先行技術文献】
【特許文献】
【０００９】
【特許文献１】特開平６−１２９１２１号公報
【発明の概要】
【発明が解決しようとする課題】
【００１０】
ＤＶＤプレーヤと５．１ｃｈのスピーカーシステムを組み合わせて、臨場感に溢れた音響効果を発揮するホームシアターシステムを構築することができる。しかし、ＤＶＤプレーヤなどのセット本体から各スピーカーにそれぞれケーブルを接続する方式では、センター、右、左を間違えずに正しく接続する必要が生じて配線作業が煩雑となる。また、多数の配線が室内に這わされるので、見た目もすっきりせず、室内の快適性が損なわれる。
【００１１】
そのために、複数のスピーカーを備える５．１ｃｈのスピーカーシステムであっても、その配線作業を容易とし、すっきりとした配線状態を呈するスピーカーシステムが求められる。
【００１２】
本発明は、上記問題点に鑑み、配線作業が容易で見た目のすっきりとした配線状態となるスピーカーシステムを提供することを目的とする。
【課題を解決するための手段】
【００１３】
上記目的を達成するために本発明は、オーディオ信号を出力するセット本体と、該セット本体から出力されるオーディオ信号を入力して音声出力するスピーカーとして、視聴者の前方に設置するセンタースピーカーと前方の左右に離して設置するフロント左スピーカーとフロント右スピーカーとを有するフロントスピーカーに加えて、視聴者の後方の左右に離して設置するリア左スピーカー、リア右スピーカー、および、効果音としての低温成分を再現するサブウーファーを備えるスピーカーシステムにおいて、前記センタースピーカーに、フロントスピーカー用オーディオ信号入力部と、フロント左スピーカー用オーディオ信号出力部と、フロント右スピーカー用オーディオ信号出力部とを設け、前記セット本体から、前記センタースピーカーと前記フロント左スピーカーと前記フロント右スピーカーへのオーディオ信号を、一本のフロントオーディオ信号伝送ケーブルを用いて前記フロントスピーカー用オーディオ信号入力部に入力し、前記フロント左スピーカーを前記フロント左スピーカー用オーディオ信号出力部を介して接続し、前記フロント右スピーカーを前記フロント右スピーカー用オーディオ信号出力部を介して接続したことを特徴としている。
【００１４】
この構成によると、センタースピーカーとフロント左スピーカーとフロント右スピーカーとを有するフロントスピーカーへ伝送するフロントスピーカー用オーディオ信号を、セット本体から一本の伝送ケーブルを介してセンタースピーカーに供給することができる。また、このセンタースピーカーにフロント左スピーカーとフロント右スピーカーを接続して、それぞれのスピーカー用オーディオ信号をそれぞれのスピーカーに伝送可能となって、配線作業が容易で見た目のすっきりとした配線状態となるスピーカーシステムを得ることができる。
【００１５】
また本発明は、上記構成のスピーカーシステムにおいて、前記リア左スピーカーと前記リア右スピーカーのいずれか一方に、リアスピーカー用オーディオ信号入力部と、他方のリアスピーカー用のオーディオ信号出力部とを設け、前記セット本体から両方のリアスピーカーへのオーディオ信号を、一本のリアオーディオ信号伝送ケーブルを用いて前記リアスピーカー用オーディオ信号入力部に入力し、他方のリアスピーカーを前記オーディオ信号出力部を介して接続したことを特徴としている。この構成によると、視聴者の後方の左右に離して一対設置するリアスピーカーに対しても、セット本体から一本の伝送ケーブルを介して一方のリアスピーカーにリアスピーカー用オーディオ信号を供給し、他方のスピーカーへは、この一方のリアスピーカーに設ける出力部に接続するだけでよいので配線作業が容易で見た目のすっきりとした配線状態となる。
【００１６】
また本発明は、上記構成のスピーカーシステムにおいて、前記オーディオ信号伝送ケーブルをフラットケーブルとしたことを特徴としている。この構成によると、オーディオ信号伝送ケーブルを室内に配線する際に、床に這わせるようにして設置でき、この配線の上にカーペットを違和感なく敷設することができる。
【００１７】
また本発明は、上記構成のスピーカーシステムにおいて、前記フラットケーブルの底面部に、滑り止め機能を発揮する空気溝を設けたことを特徴としている。この構成によると、フローリング床のような平滑な床面でも、フラットケーブルを少し押し付けて軽く密着させることができ、床面上の所定位置にケーブルを配置することができる。
【００１８】
また本発明は、上記構成のスピーカーシステムにおいて、前記フロント左スピーカー用オーディオ信号出力部を前記センタースピーカーの前記フロント左スピーカーに対向する側面部に設け、前記フロント右スピーカー用オーディオ信号出力部を前記センタースピーカーの前記フロント右スピーカーに対向する側面部に設けたことを特徴としている。この構成によると、フロント左スピーカーを該スピーカーと対向するセンタースピーカーの側面部に接続し、フロント右スピーカーを該スピーカーと対向するセンタースピーカーの側面部に接続するので、左右のスピーカーを間違えることなく容易に接続することができる。
【発明の効果】
【００１９】
本発明によれば、センタースピーカーに、フロントスピーカー用オーディオ信号入力部と、フロント左スピーカー用オーディオ信号出力部と、フロント右スピーカー用オーディオ信号出力部とを設け、セット本体からセンタースピーカーとフロント左スピーカーとフロント右スピーカーへのオーディオ信号を、一本のフロントオーディオ信号伝送ケーブルを用いてフロントスピーカー用オーディオ信号入力部に入力し、フロント左スピーカーをフロント左スピーカー用オーディオ信号出力部を介して接続し、フロント右スピーカーをフロント右スピーカー用オーディオ信号出力部を介して接続したので、配線作業が容易で見た目のすっきりとした配線状態となるスピーカーシステムを得ることができる。
【図面の簡単な説明】
【００２０】
【図１】本発明に係るスピーカーシステムの概略摸式図である。
【図２】伝送ケーブルの摸式図であって、（ａ）はフラットケーブルとした概略断面図であり、（ｂ）はフラットケーブルの底面に空気溝を設けた一例の概略断面図である。
【図３】本発明に係るスピーカーシステムの配置構成を示す概略説明図である。
【発明を実施するための形態】
【００２１】
以下に本発明の実施形態を図面を参照して説明する。また、同一構成部材については同一の符号を用い、詳細な説明は適宜省略する。
【００２２】
まず、図３を用いて本実施形態のスピーカーシステムの配置構成について説明する。本実施形態に係るスピーカーシステムは、オーディオ信号を出力するセット本体１と、該セット本体１から出力されるオーディオ信号を入力して音声出力するスピーカーとして、視聴者Ａの前方に設置するセンタースピーカー２と前方の左右に離して設置するフロント左スピーカー３とフロント右スピーカー４と、視聴者Ａの後方の左右に離して設置するリア左スピーカー５、リア右スピーカー６、および、効果音としての低温成分を再現するサブウーファー７を備えるサラウンド方式のスピーカーシステムである。
【００２３】
また、視聴者Ａの前方に設置するセンタースピーカー２とフロント左スピーカー３とフロント右スピーカー４とを合わせてフロントスピーカーと称することとする。
【００２４】
セット本体１は、例えば、ＤＶＤプレーヤと表示装置とを備えるホームシアター装置であって、別に設置する複数のスピーカーにそれぞれオーディオ信号を出力する。
【００２５】
そのために、通常のスピーカーシステムにおいては、セット本体１から、センタースピーカー２とフロント左スピーカー３とフロント右スピーカー４とリア左スピーカー５とリア右スピーカー６とサブウーファー７との６個のスピーカーにそれぞれオーディオ信号伝送ケーブルが接続されている。
【００２６】
また、センタースピーカー２に対しては、セット本体側に設けるセンタースピーカー用オーディオ信号出力部とセンタースピーカー側に設けるセンタースピーカー用オーディオ信号入力部とをセンタースピーカー用伝送ケーブルを用いて正確に接続することが肝要である。その他のスピーカーに対しても、それぞれのスピーカーに設けるオーディオ信号入力部とセット本体側のオーディオ信号出力部とを正確に接続することが必要となって、配線作業が煩雑であり、簡単な作業ではなかった。
【００２７】
そのために、本実施形態では、配線作業を容易とするために、フロントスピーカー（センタースピーカー２とフロント左スピーカー３とフロント右スピーカー４）に対して、図１に示すように、セット本体１から一本のオーディオ信号伝送ケーブル（フロントオーディオ信号伝送ケーブル１１）を用いて出力する構成とした。
【００２８】
そこで、センタースピーカー２に、フロントスピーカー用オーディオ信号入力部１１ｂと、フロント左スピーカー用オーディオ信号出力部１２ａと、フロント右スピーカー用オーディオ信号出力部１３ａとを設け、セット本体１に設けるフロントスピーカー用オーディオ信号出力部１１ａと前記フロントスピーカー用オーディオ信号入力部１１ｂとをフロントオーディオ信号伝送ケーブル１１で接続する構成とした。この構成であれば、センタースピーカー２とフロント左スピーカー３とフロント右スピーカー４へのオーディオ信号を、一本のフロントオーディオ信号伝送ケーブル１１を用いてセンタースピーカー２のフロントスピーカー用オーディオ信号入力部１１ｂに入力することができる。
【００２９】
また、フロント左スピーカー用オーディオ信号出力部１２ａとフロント左スピーカー用オーディオ信号入力部１２ｂとを伝送ケーブル１２を用いて接続してフロント左スピーカー３にフロント左スピーカー用オーディオ信号を供給し、フロント右スピーカー用オーディオ信号出力部１３ａとフロント右スピーカー用オーディオ信号入力部１３ｂとを伝送ケーブル１３を用いて接続してフロント右スピーカー４にフロント右スピーカー用オーディオ信号を供給する構成とした。
【００３０】
上記の構成であれば、センタースピーカー２とフロント左スピーカー３とフロント右スピーカー４とを有するフロントスピーカーへ伝送するフロントスピーカー用オーディオ信号を、セット本体１から一本のフロントオーディオ信号伝送ケーブル１１を用いてセンタースピーカー２に供給することができるので、配線作業が容易で見た目のすっきりとした配線状態となる。また、このセンタースピーカー２にフロント左スピーカー３とフロント右スピーカー４をそれぞれ伝送ケーブル１２、１３を用いて接続するだけでよいので、配線作業が容易となる。また、それぞれの接続をコネクタ接続とすると、さらに配線作業が簡便となる。
【００３１】
このように、本実施形態によれば、セット本体１からそれぞれのフロントスピーカーに出力されている３本の伝送ケーブルを１本にまとめてセンタースピーカー２に入力し、その後でフロント左スピーカー３とフロント右スピーカー４とにそれぞれのオーディオ信号を供給することができるので、簡便な配線作業となり、すっきりした配線状態となって好ましい。
【００３２】
また、左右のリアスピーカーに対しても、まとめた一本のオーディオ信号伝送ケーブルを用いて配線本数を削減することができる。例えば、リア左スピーカー５とリア右スピーカー６のいずれか一方に、セット本体１からリアスピーカー用のオーディオ信号を入力するリアスピーカー用オーディオ信号入力部１４ｂと、他方のリアスピーカーに対するオーディオ信号を出力するオーディオ信号出力部１５ａとを設けることで、セット本体１から一本の伝送ケーブル（リアオーディオ信号伝送ケーブル１４）を用いてリアスピーカー用のオーディオ信号を供給することが可能となる。
【００３３】
上記の構成であれば、セット本体１から両方のリアスピーカーへのオーディオ信号を一本のリアオーディオ信号伝送ケーブル１４を用いてリアスピーカー用オーディオ信号入力部１４ｂに入力し、他方のリアスピーカーへは、オーディオ信号出力部１５ａとオーディオ信号入力部１５ｂとを伝送ケーブル１５を介して接続することができる。そのために、視聴者Ａの後方の左右に離して設置するリアスピーカーに対して、一方のリアスピーカー（例えば、リア右スピーカー６）にリアスピーカー用オーディオ信号を供給し、他方のスピーカー（例えば、リア左スピーカー５）へは、この一方のリアスピーカーに設ける出力部（例えば、オーディオ信号入力部１５ｂ）に接続するだけでよくなり、配線作業が容易で見た目のすっきりとした配線状態となって好ましい。
【００３４】
ここで、複数のスピーカー用のオーディオ信号を伝送するフロントオーディオ信号伝送ケーブル１１およびリアオーディオ信号伝送ケーブル１４は、フラットケーブルであることが好ましい。これらのオーディオ信号伝送ケーブルがフラットケーブルであれば、これらの伝送ケーブルを室内に配線する際に、床に這わせるようにして設置でき、この配線の上にカーペットを違和感なく敷設することができる。
【００３５】
例えば、図２（ａ）に示すように、フロントオーディオ信号伝送ケーブル１１として、センタースピーカー２用のオーディオ信号伝送ライン２１と、フロント左スピーカー３用のオーディオ信号伝送ライン３１と、フロント右スピーカー４用のオーディオ信号伝送ライン４１とを一本のケーブルにまとめたフラットケーブル１１Ａを用いることができる。
【００３６】
ここで、例えば、オーディオ信号伝送ライン２１は、正側の出力端子と入力端子とを接続する正側ライン２ａと、負側の出力端子と入力端子とを接続する負側ライン２ｂを備えている。また、オーディオ信号伝送ライン３１は、フロント左スピーカー３用の正側ライン３ａと負側ライン３ｂを備え、オーディオ信号伝送ライン４１は、フロント右スピーカー４用の正側ライン４ａと負側ライン４ｂを備えていて、これらの６本のラインを一列に備えて、フラットケーブル１１Ａが構成される。
【００３７】
また、フラットケーブルであるので、図２（ｂ）に示すように、その底面部にライン状に溝５０を複数設けて、床面に対して滑り止め機能を発揮して吸着性を有する空気溝を形成することができる。このように、底面部に複数の溝を備えた構成のフラットケーブル１１Ｂであれば、例えば、フローリング床のような平滑な床面に、フラットケーブル１１Ｂを少し押し付けて軽く密着させることができ、床面上にケーブルを半固定可能となって、床面上の所定位置にケーブルを配置することができる。
【００３８】
さらに、平坦なケーブルであるので、このフラットケーブル１１Ａ、１１Ｂの上にカーペットを敷設しても、カーペットがもっこりと盛り上がることもなく、見た目もすっきりする。さらに、この上をあるいても、足に違和感を覚えずに不快感を与えない。
【００３９】
上記したように、センタースピーカー２に、フロントスピーカー用オーディオ信号入力部１１ｂと、フロント左スピーカー用オーディオ信号出力部１２ａと、フロント右スピーカー用オーディオ信号出力部１３ａとを設け、セット本体１とセンタースピーカー２とをフロントオーディオ信号伝送ケーブル１１で接続し、センタースピーカー２とフロント左スピーカー３とを伝送ケーブル１２で接続し、センタースピーカー２とフロント右スピーカー４とを伝送ケーブル１３で接続する構成としたので、セット本体１からフロントスピーカーへの配線を３本から１本に減らすことができる。また、それぞれの接続をコネクタ接続とすることで、配線作業が容易で見た目のすっきりとした配線状態となるスピーカーシステムを得ることができる。
【００４０】
このセンタースピーカー２とフロント左スピーカー３との接続、また、センタースピーカー２とフロント右スピーカー４との接続を簡便とし、間違いを生じ難い構成とするためには、フロント左スピーカー３に対向するセンタースピーカー２の面にフロント左スピーカー用オーディオ信号出力部１２ａを設け、フロント右スピーカー４に対向するセンタースピーカー２の面にフロント右スピーカー用オーディオ信号出力部１３ａを設けることが好ましい。
【００４１】
そのために、センタースピーカー２の左側にフロント左スピーカー３を設置し、右側にフロント右スピーカー４を設置する場合には、フロント左スピーカー用オーディオ信号出力部１２ａをセンタースピーカー２の左側面部に設け、フロント右スピーカー用オーディオ信号出力部１３ａをセンタースピーカー２の右側面部に設けるとよい。この構成であれば、それぞれのフロントスピーカーが対面しているセンタースピーカーの側面部に、それぞれのスピーカーを接続する出力部が位置する構成となり、左右のスピーカーを間違えることなく確実に、また、容易に接続することができる。
【００４２】
また、センタースピーカー２に、フロントスピーカー用オーディオ信号を一括に入力しているので、セット本体やスピーカーの配置を変える模様替えのときには、フロントオーディオ信号伝送ケーブル１１の取り外しと再装着を行うだけでよく、配線接続操作が簡単となる。
【００４３】
上記したように、本発明に係るスピーカーシステムによれば、センタースピーカーに、フロントスピーカー用オーディオ信号入力部と、フロント左スピーカー用オーディオ信号出力部と、フロント右スピーカー用オーディオ信号出力部とを設け、セット本体からセンタースピーカーとフロント左スピーカーとフロント右スピーカーへのオーディオ信号を、一本のフロントオーディオ信号伝送ケーブルを用いてフロントスピーカー用オーディオ信号入力部に入力し、フロント左スピーカーをフロント左スピーカー用オーディオ信号出力部を介して接続し、フロント右スピーカーをフロント右スピーカー用オーディオ信号出力部を介して接続したので、配線作業が容易で見た目のすっきりとした配線状態となるスピーカーシステムを得ることができる。
【００４４】
さらに、セット本体から両方のリアスピーカーへのオーディオ信号を、一本のリアオーディオ信号伝送ケーブルを用いて一方のリアスピーカー用オーディオ信号入力部に入力し、この一方のリアスピーカーと他方のリアスピーカーを接続して、左右一対のリアスピーカーにオーディオ信号を伝送することができる。
【００４５】
また、伝送ケーブルをフラットケーブルとすることで、伝送ケーブルを室内に配線する際に、床に這わせるようにして設置でき、この配線の上にカーペットを違和感なく敷設することができる。
【産業上の利用可能性】
【００４６】
そのために、本発明に係るスピーカーシステムは、配線作業を容易とし、配線状態の見た目をすっきりさせたいスピーカーシステムに好適に適用することができる。
【符号の説明】
【００４７】
１    セット本体
２    センタースピーカー
３    フロント左スピーカー
４    フロント右スピーカー
５    リア左スピーカー
６    リア右スピーカー
７    サブウーファー
１１    フロントオーディオ信号伝送ケーブル
１１ａ  フロントスピーカー用オーディオ信号出力部
１１ｂ  フロントスピーカー用オーディオ信号入力部
１２    伝送ケーブル
１２ａ  フロント左スピーカー用オーディオ信号出力部
１２ｂ  フロント左スピーカー用オーディオ信号入力部
１３    伝送ケーブル
１３ａ  フロント右スピーカー用オーディオ信号出力部
１３ｂ  フロント右スピーカー用オーディオ信号入力部
１４    リアオーディオ信号伝送ケーブル
【図１】
2011119889.tif 000003
【図２】
2011119889.tif 000004
【図３】
2011119889.tif 000005